【事件の表示】
　平成　５年特許願第　６３４７７号「弾球遊技機の可変表示装置」拒絶査定不服審判事件〔平成　６年　９月　６日出願公開、特開平　６−２４６０４５〕について、次のとおり審決する。
【結　論】
　本件審判の請求は、成り立たない。
【理　由】
１．手続の経緯
　本願は、平成５年２月２６日の出願であって、平成１３年１１月３０日付けで拒絶査定がなされ、これに対し、平成１４年１月４日に拒絶査定に対する審判請求がなされ、平成１４年２月１日付けで明細書に係る手続補正がなされたものである。
　　　　
２．本願発明
　本願の請求項１乃至３に係る発明は、平成１４年２月１日付けの手続補正によって補正された明細書の記載からみて、その特許請求の範囲の請求項１乃至３に記載された「弾球遊技機の可変表示装置」にあると認められるところ、その請求項１に記載された発明（以下、「本願発明」という。）は以下のとおりのものである。
「複数の識別情報を可変表示する回転ドラムを備えた弾球遊技機の可変表示装置において、
　前記回転ドラムと、該回転ドラムを駆動し且つ内部にセンサを内蔵するモータが固着されると共に前記識別情報を照射するランプが取り付けられる金属製の固定板と、からなる回転ドラムユニットを弾球遊技機の遊技盤の裏面側に取り付けられる収納体に収納設置すると共に、
　該収納体の上面又は底面に前記センサとモータとランプからの配線をまとめて外部と接続するための接続用開口を形成し、
　該接続用開口が形成された上面又は底面に前記センサとモータとランプからの配線が接続される基板を設け、
　さらに前記固定板は、前記収納体の外部に取り付けられる金属製の放熱固定板と接触するように固定されている
　ことを特徴とする弾球遊技機の可変表示装置。」
　　　　　
３．引用例及び引用発明
　原査定の拒絶理由において引用された、本願の出願前に国内において頒布された刊行物である特開平４−１６１１８２号公報（以下、引用例という）には、以下の事項が記載されている。
（ア）「複数の識別情報が表面に形成された回転部材を備えた可変表示装置において、前記回転部材を透光性のある部材で構成すると共に、遊技者が視認し得る識別情報の裏面から光を照射する発光部材を設けたことを特徴とする可変表示装置。」（第１頁左下欄第５〜１０行）、
（イ）「一方、遊技盤１の裏面に取り付けられる回転ドラム３９ａ〜３９ｃを収納する駆動部収納ボックス３７の構成について第１Ａ図乃至第６図を参照して説明する。まず、駆動部収納ボックス３７に収納される回転ドラム３９ａ〜３９ｃの構成について説明すると、回転ドラム３９ａ〜３９ｃは、それぞれ個々に回転ドラム機構３８ａ〜３８ｃとしてユニット化され、簡単に駆動部収納ボックス３７に収納されるようになっている。すなわち、第１Ａ図に示すように回転ドラム機構３８ａ（他の２つの回転ドラム機構３８ｂ、３８ｃも全く同じ構成である）は、その外周表面に複数の識別情報としての図柄が描かれた回転ドラム３９ａ〜３９ｃと、該回転ドラム３９ａ〜３９ｃを回転せしめるステッピングモータ４０ａ〜４０ｃと、該ステッピングモータ４０ａ〜４０ｃを固定するためのモータ固定板４１ａ〜４１ｃとから構成される」（第４頁左上欄第４〜２０行）、
（ウ）「そこで、ランプ５８ａ〜５８ｃのランプ基板５１に対する取付構造について第２Ａ図及び第２Ｂ図を参照して説明すると、ランプ基板５１は、モータ固定板４１ａの前方に形成されたランプ基板取付開口５０に対応してランプカバー６１ａとともにビスでモータ固定板４１ａに螺着されている。」（第５頁右下欄第３〜９行）、
（エ）「次に、上記した回転ドラム機構３８ａ〜３８ｃが収納される駆動部収納ボックス３７の構成について第３図乃至第５図を参照して説明すると、駆動部収納ボックス３７は、後方が開放しており、その開放部から上記した回転ドラム機構３８ａ〜３８ｃを挿入して収容するようになっており、完全に収納された状態で駆動部収納ボックス３７の前面側に開設された開口窓６９から第３図に示すように回転ドラム３９ａ〜３９ｃの前方円弧状部が突出するようになっている。」（第６頁右上欄第４〜１３行）、
（オ）「駆動部収納ボックス３７の後面開口を閉塞するために設けられる基板取付枠７５を正確に止着するようになっている。すなわち、基板取付枠７５の前面上部に突設された位置決め突起７６を位置決め受部７３に受け入れ、その前面上部に形成されたビス穴７７を止め受部７４に対応させて図示しないビスを螺着することにより基板取付枠７５を駆動部収納ボックス３７の後面に取り付けるようになっている。基板取付枠７５には、その前端上部に前記ランプ配線５７ａ〜５７ｂを外側に導出するためのランプ配線挿通溝７８ａ〜７８ｃが形成され、その前端下部に前記モータ配線６７ａ〜６７ｃを外側に導出するためのモータ配線挿通溝７９ａ〜７９ｃ（ただし、７９ｂ、７９ｃは図示せず）が形成されている。また、基板取付枠７５の中程には、仕切板８０が形成され、該仕切板８０のほぼ中央に複数の通過穴８１ａ〜８１ｃが穿設されている。この通過穴８１ａ〜８１ｃには、仕切板８０の後面に密着して配置される回路基板８３に設けられる反射型フォトセンサ８４ａ〜８４ｃが臨むようになっている。したがって、通過穴８１ａ〜８１ｃは、回転ドラム機構３８ａ〜３８ｃが駆動部収納ボックス３７に固定されたときに前記回転ドラム３９ａ〜３９ｃの一側外周縁に形成された無反射帯４３ａが回転してくる位置に対応するように穿設されている。そして、反射型フォトセンサ８４ａ〜８４ｃが無反射帯４３を検出したときにＯＮとなるように設定され、無反射帯４３以外の位置のときにはＯＦＦとなるように設定されている。また、仕切板８０には、その後面四隅に後述する中継端子基板８７を止着するための取付ボス８２が突設されると共に、回路基板８３に設けられるコンデンサー等の電気部品が配置される開口（符号なし）や前記突部４５と係合する係合溝（図示しない）等が形成されている。反射型フォトセンサ８４ａ〜８４ｃが設けられる回路基板８３の下方には、コネクタが設けられ、このコネクタと次に述べる中継端子基板８７の回路基板接続コネクタ８１とが配線８５のコネクタ８５ａ、８５ｂとで接続され、回路基板８３に電源が供給されている。なお、配線８５のコネクタ８５ａを収納するために基板取付枠７５の下部中央には、収納凹部８６が形成されている。また、回路基板８３は、取付ボス８２を結ぶ線の内側であって前記仕切板８０の後面に密着して図示しないビスによって止着されている。また、前記取付ボス８２には、中継端子基板８７がビス９２によって止着されている。この中継端子基板８７は、可変表示装置３０全体に設けられる電気的部品からの配線を中継するもので、前記した回路基板接続コネクタ９１やモータ接続コネクタ８９ａ〜８９ｃやランプ接続コネクタ８８ａ〜８８ｃが設けられる共に、外部の遊技動作を制御する制御回路基板接続コネクタ９０等が設けられている。」（第６頁左下欄第１行〜第７頁左上欄第１６行）。
　　　
　上記の記載及び図面によれば、引用例には、以下の発明（以下、「引用発明」という。）が記載されているものと認められる。
「複数の識別情報を可変表示する回転ドラム３９ａ〜３９ｃを備えた弾球遊技機の可変表示装置において、
　前記回転ドラム３９ａ〜３９ｃと、該回転ドラム３９ａ〜３９ｃを駆動するステッピングモータ４０ａ〜４０ｃが固定されると共に前記識別情報を照射するランプ５８ａ〜５８ｃ、５９ａ〜５９ｃ、６０ａ〜６０ｃがランプ基板５１を介して取り付けられる固定板４１ａ〜４１ｃと、からなる回転ドラム機構３８ａ〜３８ｃを
　弾球遊技機の遊技盤１の裏面に取り付けられる駆動部収納ボックス３７と、該駆動部収納ボックス３７の後面開口を閉塞するために設けられる基板取付枠７５とからなる空間内に収納設置すると共に、
　該基板取付枠７５の前端上部に前記ランプ５８ａ〜５８ｃ、５９ａ〜５９ｃ、６０ａ〜６０ｃからの配線５７ａ〜５７ｂを外側に導出するためのランプ配線挿通溝７８ａ〜７８ｃを形成し、前記基板取付枠７５の前端下部に前記モータ４０ａ〜４０ｃからの配線６７ａ〜６７ｃを外側に導出するためのモータ配線挿通溝７９ａ〜７９ｃを形成し、前記基板取付枠７５の中程に、その後面に密着して配置される回路基板８３に設けられる反射型フォトセンサ８４ａ〜８４ｃが臨むように複数の通過穴８１ａ〜８１ｃが穿設されている仕切板８０を形成し、
　前記基板取付枠７５の後部に、前記ランプ５８ａ〜５８ｃ、５９ａ〜５９ｃ、６０ａ〜６０ｃと、前記モータ４０ａ〜４０ｃと、前記反射型フォトセンサ８４ａ〜８４ｃからの配線が接続される中継端子基板８７を設ける
　弾球遊技機の可変表示装置。」
　　　　
４．対比及び判断
（１）対比
　本願発明と引用発明とを対比すると、引用発明の「回転ドラム３９ａ〜３９ｃ」、「ステッピングモータ４０ａ〜４０ｃ」、「回転ドラム機構３８ａ〜３８ｃ」、「固定板４１ａ〜４１ｃ」、「遊技盤１」、「反射型フォトセンサ８４ａ〜８４ｃ」及び「中継端子基板８７」は、それぞれ、本願発明の「回転ドラム」、「モータ」、「回転ドラムユニット」、「固定板」、「遊技盤」、「センサ」及び「基板」に相当する。　
　また、引用発明の「駆動部収納ボックス３７」及び「該駆動部収納ボックス３７の後面開口を閉塞するために設けられる基板取付枠７５」は、実質的に前記両部材をもって、回転ドラム機構３８ａ〜３８ｃ（回転ドラムユニット）を収納するものであるから、本願発明の「収納体」に相当するとともに、引用発明の前記基板取付枠７５の前端上部に形成された「ランプ配線挿通溝７８ａ〜７８ｃ」及び前記基板取付枠７５の前端下部に形成された「モータ配線挿通溝７９ａ〜７９ｃ」は、本願発明の収納体の上面又は底面に形成された外部と接続するための「接続用開口」に相当する。
　そうすると、本願発明と引用発明の両者は、以下の点でそれぞれ、一致ならびに相違するものと認められる。
　一致点「複数の識別情報を可変表示する回転ドラムを備えた弾球遊技機の可変表示装置において、
　前記回転ドラムと、該回転ドラムを駆動するモータが固着されると共に前記識別情報を照射するランプが取り付けられる固定板と、からなる回転ドラムユニットを弾球遊技機の遊技盤の裏面側に取り付けられる収納体に収納設置すると共に、
　該収納体の上面又は底面に前記モータとランプからの配線を外部と接続するための接続用開口が形成され、センサとモータとランプからの配線が接続される基板が設けられている弾球遊技機の可変表示装置。」
　相違点Ａ．本願発明は、センサをモータに内蔵し、前記センサとモータとランプからの配線をまとめて外部と接続するための接続用開口を形成するのに対し、引用発明は、センサをモータに内蔵することなく、収納体に配置した回路基板８３に設けて、該回路基板８３から外部の基板に配線を接続するとともに、モータとランプからの配線を外部と接続するための接続用開口を個別に形成する点。
　相違点Ｂ．本願発明は、基板を収納体の上面又は底面に設けるのに対し、引用発明は、基板を収納体の後部に設ける点。
　相違点Ｃ．本願発明は、固定板が金属製であり、該固定板が収納体の外部に取り付けられる金属製の放熱固定板と接触するように固定されているのに対し、引用発明においては、固定板が金属製であるか不明であり、該固定板に金属製の放熱固定板が接触するように固定されているものでもない点。
　　　
（２）検討判断
　i．相違点Ａ．について
　弾球遊技機の可変表示装置において、センサをモータに内蔵することは、周知技術（例えば、特開平４−５８９６８号公報、特開平４−２９５３８７号公報、特開平５−１５１９６号公報参照、以下、周知技術Ａという。）である。
　また、異なる電気的素子に係る配線をまとめて外部と接続することは、組み立て及び保守を効率的に行うために、適宜採用される周知技術である。
　そうすると、引用発明に示される、センサを収納体に配置した回路基板８３に設けることに代えて、前記周知技術Ａに示される、センサをモータに内蔵する構成を採用するとともに、配線をまとめる前記周知技術を引用発明に適用して、モータとランプからの配線を外部と接続するための接続用開口を個別に形成することに代えて、センサを含めて、モータとランプからの配線をまとめて外部と接続するための接続用開口を形成することにより、前記相違点Ａに係る本願発明のように構成することは、当業者が容易に想到できるものである。
　ii．相違点Ｂ．について
 弾球遊技機の可変表示装置において、基板を収納体の底面に設けることは、周知技術（例えば、特開昭６２−２６０８８号公報、特開平３−３２６８４号公報参照、以下、周知技術Ｂという。）である。
　そうすると、引用発明に示される、基板を収納体の後部に設けることに代えて、前記周知技術Ｂに示される、基板を収納体の底面に設ける構成を採用して、前記相違点Ｂに係る本願発明のように構成することは、当業者が容易に想到できるものである。
　iii．相違点Ｃ．について
　弾球遊技機の可変表示装置において、収納体内部のモータから発生する熱を外部に放出するために、該収納体の外部に熱伝導性の高い放熱固定板を設け、該収納体に収納設置される固定板等を前記放熱固定板と接触するように固定して放熱効果を高めることは、周知技術（例えば、特開平４−５８９６８号公報、特開平５−１５１９６号公報、特開平３−３２６８４号公報参照、以下、周知技術Ｃという。）である。また、金属の熱伝導性が高いことは自明の事項である。
　そうすると、引用発明に前記周知技術Ｃを適用して、固定板を金属製にするとともに、該固定板を収納体の外部に取り付けられる金属製の放熱固定板と接触するように固定することにより、前記相違点Ｃに係る本願発明のように構成することは、当業者が容易に想到できるものである。
　iv．作用効果について
　本願発明の作用効果は、引用発明及び前記周知技術に基づいて、当業者が容易に予測できるものである。
　　　
５．むすび
　以上のとおり、本願発明は、引用例に記載された発明（引用発明）及び周知技術に基づいて、当業者が容易に発明をすることができたものであるから、特許法第２９条第２項の規定により特許を受けることができない。
　したがって、本願は、特許請求の範囲の請求項２及び３に係る発明について検討するまでもなく、拒絶をすべきものである。
　よって、結論のとおり審決する。